(57)【要約】【課題】様々な必要性を満たす転写によるメーキャップ方法等を提供する。【解決手段】メーキャップデバイス（１）を使用してヒトケラチン物質の領域（Ｐ）をメーキャップする方法であって、メーキャップデバイス（１）が、−  少なくとも１つの転写面（３）を有する基材（２）と、−  転写面（３）に含まれ、少なくとも１台のデジタルプリンターを用いて印刷することによって得られる、化粧用着色インク塗膜（４）と、−  転写面に含まれる油を含む化粧用コーティング（６）とを含み、化粧用コーティング（６）が、インク塗膜（４）上に少なくとも部分的に重なり、インク塗膜の上及び／又は下に置かれる、方法。【選択図】図２
2020203101.tif 000002
【特許請求の範囲】
【請求項１】
メーキャップデバイス（１）を使用してヒトケラチン物質の領域（Ｐ）をメーキャップする方法であって、メーキャップデバイス（１）が、
−  少なくとも１つの転写面（３）を有する基材（２）と、
−  転写面（３）によって支持され、少なくとも１台のデジタルプリンターを用いて印刷することによって得られる、化粧用着色インク塗膜（４）と、
−  転写面によって支持される、油を含む化粧用コーティング（６）と
を含み、
化粧用コーティング（６）が、インク塗膜（４）上に少なくとも部分的に重なり、インク塗膜の上及び／又は下に置かれ、
インク塗膜（４）全体又は一部並びにその上に重なるコーティング（６）全体又は一部を、メーキャップされる領域（Ｐ）上に同時転写する工程を含む、方法。
【請求項２】
インク塗膜（４）及びコーティング（６）が転写された後にヒトケラチン物質の領域から転写面（３）を離すことからなる工程も含む、請求項１に記載の方法。
【請求項３】
転写の時点で、着色インク（４）及び／又はコーティングが完全には乾燥していない、請求項１又は２に記載の方法。
【請求項４】
少なくとも１つの転写面（３）を有する基材（２）を含む、ヒトケラチン物質をメーキャップするための転写デバイス（１）を製造する方法であって、
以下の工程：
−  少なくとも１台のデジタルプリンターを用いて、少なくとも１種の化粧用着色インクの少なくとも１つの塗膜（４）を転写面（３）上に印刷する工程と、
−  油を含む少なくとも１種の化粧用組成物を転写面（３）に適用してコーティング（６）を形成する工程と
を含み、
化粧用コーティング（６）が、インク塗膜上に少なくとも部分的に重なっており、着色インク塗膜及び化粧用コーティングが、ケラチン物質上に同時転写されることによって、ケラチン物質上にメーキャップ効果を与えることを意図する、方法。
【請求項５】
着色インク塗膜（４）が、所定のパターンで印刷され、方法が、とりわけ、使用者によってパターンを選択及び／又は作製し、このパターンに関連する情報を、印刷を行うプリンターに接続された機械によって、伝送する工程とを含む、請求項４に記載の方法。
【請求項６】
インク塗膜（４）の印刷が、既にコーティング（６）で部分的に被覆された転写面（３）上に実施される、請求項４又は５に記載の方法。
【請求項７】
組成物が、無水又はエマルションである、請求項１から６のいずれか一項に記載の方法。
【請求項８】
コーティング（６）が、組成物の総質量に対して５質量％〜９５質量％の範囲、好ましくは１０質量％〜８０質量％の範囲の量で油、とりわけ不揮発性油を含む組成物を含む、請求項１から７のいずれか一項に記載の方法。
【請求項９】
組成物が、膜形成ポリマー、ワックス、ペースト状化合物、増粘剤、界面活性剤、香料、保存料、日焼け止め剤、充填剤、染料、タンパク質、ビタミン、プロビタミン、保湿剤、セラミド及びｐＨ調整剤から選択される少なくとも１種の化粧用添加剤も含む、請求項１から８のいずれか一項に記載の方法。
【請求項１０】
インクが水性である、請求項１から９のいずれか一項に記載の方法。
【請求項１１】
ヒトケラチン物質をメーキャップする転写デバイス（１）であって、
−  少なくとも１つの転写面（３）を有する基材（２）と、
−  転写面（３）によって支持され、少なくとも１台のデジタルプリンターを用いて印刷することによって得られる、化粧用着色インク塗膜（４）と、
−  転写面（３）によって支持される、油を含む化粧用コーティング（６）と
を含み、
化粧用コーティング（６）が、インク塗膜（４）の上又は下に置かれ、インク塗膜上に少なくとも部分的に重なり、
着色インク塗膜及び化粧用コーティングが、ケラチン物質に適用されることによって転写によりケラチン物質上にメーキャップ効果を与えることが意図される、転写デバイス（１）。
【請求項１２】
転写面（３）によって支持され、インク塗膜（４）のいずれかの側面上に位置する、第１及び第２の化粧用コーティング（１６、２６）を含む、請求項１１に記載のデバイス（１）。
【請求項１３】
第１及び／又は第２の化粧用コーティング（１６、２６）が、ファンデーション、リップグロス、リップスティック及びスキンケア製品から選択される組成物を使用して得られる、請求項１１及び１２のいずれかに記載のデバイス（１）。
【請求項１４】
第１及び／又は第２の化粧用コーティング（１６、２６）が着色されている、請求項１１から１３のいずれか一項に記載のデバイス（１）。
【請求項１５】
第１及び第２の化粧用コーティング（１６、２６）のうちの少なくとも１つが無色である、請求項１１から１４のいずれか一項に記載のデバイス（１）。
【請求項１６】
転写面が、アプリケーターローラーの外面、アプリケーターパッドの表面、シート形態の要素、パッチ、多孔質発泡体の表面、とりわけスポンジ、ワイプの表面：の全て又は一部によって画定される、請求項１１から１５のいずれか一項に記載のデバイス（１）。
【請求項１７】
基材（２）が、着色インク（４）でメーキャップされることが意図されたケラチン物質の性質に関する表示（７）を含む、且つ／又は基材（２）が、少なくとも１つの半透明若しくは透明の領域（５）を含む、請求項１１から１６のいずれか一項に記載のデバイス（１）。
【請求項１８】
同じケースにそれぞれ請求項１１から１７のいずれか一項に記載の複数の異なるデバイス（１）を含む化粧アセンブリ（１０）であって、デバイスが、含まれる着色インク塗膜（４）の化学的性質及び／又はそれによって形成されるパターン及び／又は転写面（３）上に堆積されるコーティング及び／又はケラチン物質と噛み合うことが意図される転写面の形態で異なっている、化粧アセンブリ（１０）。
【発明の詳細な説明】
【技術分野】
【０００１】
本発明は、転写によるメーキャップ適用に関する。
【背景技術】
【０００２】
ミリメートル規模のパターン等の精密なコーティングで、ケラチン物質、具体的には皮膚及び唇を被覆する必要がある。
【０００３】
しかし、実践的且つ有効な方法は存在しない。パターンの描写には時間が長くかかり、専門のメーキャップアーチストの関与を必要とする。パッチ又はデカール転写を用いた方法は、パターン数が限られ、パターンを有する支持体中の折り畳みを回避することが難しいため、期待外れである。この技術は、特に、顔に不適切である。顔面皮膚の動きが原因で、支持体に亀裂が入るようになり、これにより劣化し、非審美的な外観結果になる。
【０００４】
小領域又は実際には全域の顔又は唇を被覆することを意図したメーキャップパターンが必要である。
【０００５】
各使用者に、広範なパターン、色、形状及び分布を提案する必要がある、又は使用者に、本人のパターンを画定するように提案することで、手元に大量のリファレンスを有する必要なく、本人の個別の要求を最善に満たすことが必要である。
【０００６】
その上、メーキャップされる領域が、痕跡、マイクロレリーフ、皺又は小皺等の不完全さを有する場合、メーキャップパターンは、さほど審美的な結果をもたらさず、鮮明な、きれいな外観を与えない。
【０００７】
処置するケラチン物質の領域の具体的な特性に適したメーキャップが必要である。したがって、メーキャップは、場合によっては、例えば唇のメーキャップの場合において、使用者が身につけるのに快適となる極薄の化粧用インク塗膜を使用して製造しなければならない。
【０００８】
転写の精密度が完全に損なわれず、美しく、鮮明な高精度の外観を有するように、メーキャップされる領域を準備する必要がある。
【０００９】
本発明は、こうした必要性の全て又はいくつかを満たすことを対象とする。
【先行技術文献】
【特許文献】
【００１０】
【特許文献１】米国特許第５０３２６７０号明細書
【特許文献２】米国特許第４９９９４１８号明細書
【特許文献３】米国特許第５１０６９４２号明細書
【特許文献４】米国特許第５０３０７０８号明細書
【特許文献５】米国特許第５１０２９８０号明細書
【特許文献６】米国特許第５０４３３７６号明細書
【特許文献７】米国特許第５１０４９１３号明細書
【特許文献８】米国特許第５２８１６５９号明細書
【特許文献９】米国特許第５１９４４６３号明細書
【特許文献１０】米国特許第４８０４７１９号明細書
【特許文献１１】国際公開第９２／０７９１３号
【特許文献１２】欧州特許第１０４８２８２号明細書
【発明の概要】
【課題を解決するための手段】
【００１１】
その態様のうちの第１の態様によれば、本発明は、メーキャップデバイスを用いてヒトケラチン物質の領域をメーキャップする方法であって、
−  少なくとも１つの転写面を有する基材と、
−  転写面によって支持され、少なくとも１台のデジタルプリンターを用いて印刷することによって得られる、化粧用着色インク塗膜と、
−  転写面によって支持される、油を含む化粧用コーティングと
を含み、化粧用コーティングが、インク塗膜上に少なくとも部分的に重なり、インク塗膜の上及び／又は下に置かれ、
インク塗膜全体又は一部並びにその上に重なるコーティング全体又は一部を、メーキャップされる領域上に同時転写する工程を含む、方法に関する。
【００１２】
用語「ヒトケラチン物質」は、頭皮、唇、爪、毛髪、まつげ、及び眉毛を含む皮膚、好ましくは皮膚を示す。
【００１３】
用語「デジタルプリンター」は、印刷形態を含む機械とは異なる、デジタルデータを使用する画素形態で印刷する機械を意味する。デジタルプリンターを用いて印刷することによって得られる少なくとも１つの化粧用インク塗膜の使用は、有利には、複雑でカスタマイズ可能なメーキャップを高精度にすることを可能にする。
【００１４】
堆積された着色インク及びコーティングは、転写によりケラチン物質上にメーキャップ効果を与えるように、同時にケラチン物質に接触して位置させることが意図される。
【００１５】
本発明の方法を実施するのは容易であり、パターン及びコーティングの良好な相対位置決めにより単純なジェスチャーで転送を可能にし、パターンのずれを回避できる。
【００１６】
得られるメーキャップ効果は、非常に興味深いものである。ケラチン物質、とりわけ皮膚は、コーティングで被覆され、精密な少なくとも１つのパターンを見出すことも可能である。
【００１７】
本発明は、標準的着色化粧用組成物をカスタマイズ可能なパターンと合わせるメーキャップ適用を可能にする。本発明はまた、組成物、とりわけファンデーションと、要望に応じて、ある程度の自由裁量が許容されるパターンとを統合することも可能にする。印刷の手段によって高精度のパターンが維持され、コーティング組成物によって損なわれることはない。
【００１８】
本発明はまた、皮膚の領域を滑らかにすることによって、その領域をメーキャップして、視覚的側面を改善することも可能にする。
【００１９】
コーティングの存在は、皮膚の不具合を見せずに、メーキャップした領域全体にわたってパターンの視覚的表現も改善する。
【００２０】
別の態様によれば、本発明は、少なくとも１つの転写面を有する基材を含む、ヒトケラチン物質をメーキャップする転写デバイスを製造する方法であって、以下の工程：
−  少なくとも１台のデジタルプリンターを用いて、少なくとも１種の化粧用着色インクの少なくとも１つの塗膜を転写面上に印刷する工程と、
−  少なくとも１種の化粧用組成物を転写面に適用してコーティングを形成する工程と
を含み、
化粧用コーティングが、インク塗膜上に少なくとも部分的に重なっており、着色インク塗膜及び化粧用コーティングが、ケラチン物質上に同時転写されることによって、ケラチン物質上にメーキャップ効果を与えることが意図される、方法にも関する。
【００２１】
インク塗膜の印刷は、既にコーティングで部分的に被覆された転写面上で実施されてよい。
【００２２】
インク塗膜を転写面に印刷した後に、コーティングを少なくとも部分的に製造してもよい。
【００２３】
一実施例において、着色インクは、所定のパターンで印刷され、方法は、使用者によってパターンを選択及び／又は作製し、このパターンに関連する情報を、印刷を行う少なくとも１台のプリンターに接続された機械によって、伝送する工程とを含む。
【００２４】
機械は、コンピューター、「スマートフォン」とも知られている高性能の携帯電話、又はタブレットコンピューターでよい。機械は、物理的に且つ／又はデータ交換ネットワークの手段によって前記プリンターに接続されてよい。
【００２５】
プリンターは、インクジェットプリンター、例えば感熱式若しくは圧電プリンター、昇華型プリンター又はレーザープリンターでよい。
【００２６】
一実施例において、プリンターは、少なくとも１種の化粧トナーを用いて、パターンを有するインク塗膜を、電子写真又は磁気写真（ｍａｇｎｅｔｏｐｈｏｔｏｇｒａｐｈｙ）によって転写面上に形成させ、転写面上に十分に自由な状態で存在するトナーを送達し、ヒトケラチン物質と接触させることによって取り込ませる又は転写させる、レーザープリンターである。
【００２７】
用語「化粧トナー」は、レーザープリンターで使用する電子写真又は磁気写真術による画像形成に適合する粉状化粧用組成物を意味すると理解すべきである。好ましくは、電子写真の使用に好適なトナーである。
【００２８】
トナーは、ヒトケラチン物質への適用に適合するという趣旨において、美容のためのものである。メーキャップされる表面に応じて、トナーの配合は異なり得る。例えば、毛髪又は爪に適用する場合、例えば唇への適用向けに使用できない特定の化合物を使用することが可能である。
【００２９】
プリンターは、非平坦な物体上の印刷を可能にするＧａｔｏｃｏｐｙ  Ａ４２６機等の食品等級インクジェットプリンターでよい。
【００３０】
一実施例において、具体的にはローラーの外面に対応する、非平坦な転写面上に、直接印刷を実施する。
【００３１】
印刷には、いくつかの異なるインク、具体的には色が異なるインクを使用してよい。
【００３２】
印刷には、少なくとも３種、具体的には少なくとも４、５、６、７、８、９、１０、１１又は１２種の異なる色の着色インクを使用してよい。
【００３３】
印刷には、主要の色を作る着色インクのみ使用してよい。変形形態として、印刷には、主要の色を作る着色インク及び主要でない色を作る少なくとも１種の着色インクの両方を使用してよい。
【００３４】
着色インクの印刷は、３色又は４色の印刷でよい。
【００３５】
印刷によって得られるパターンは、いくつかの異なる色の領域を含んでよい。変形形態として、印刷によって得られるパターンはフラットティントである。
【００３６】
着色インクは、いくつかの印刷段階において堆積されてよい。言い換えれば、第１留分の着色インクを先ず転写面上に印刷し、後続して第２留分の着色インクを第１留分全体又は一部の上に印刷してよい。
【００３７】
インク塗膜の印刷は、既にコーティングで被覆された転写面上で実施されてよい。
【００３８】
乾燥又は不乾性コーティング上で印刷を実施してよい。一変形形態は、組成物のコーティングを転写面上に堆積させ、それが乾燥するように待ち、次いで印刷するものである。
【００３９】
一変形形態において、インク塗膜を転写面上に印刷した後に、コーティングを製造する。
【００４０】
転写面を、メーキャップされる領域と接触させて置くことによる転写工程を、例えば、転写面と反対側の基材の表面上に圧力をかけることによって行う。
【００４１】
本発明による方法は、インク塗膜及びコーティングが転写された後にヒトケラチン物質の領域から転写面を離すことからなる工程も含んでよい。
【００４２】
一実施例において、着色インク塗膜を転写面上に印刷し、次いでコーティングで少なくとも部分的に被覆する。
【００４３】
一変形形態において、転写面は、第１のコーティングで少なくとも部分的に被覆され、このコーティングは、例えば、顔料及び／又は染料を含む。
【００４４】
次いで、インク塗膜を第１のコーティング上に印刷する。
【００４５】
次いで、組成物を適用して、第２の化粧用コーティングを形成してよい。
【００４６】
有利には、着色インクがケラチン物質に適用されたとき、着色インクは基材上で完全には乾燥していない。着色インクがケラチン物質に適用されたとき、着色インクは流体形態であってよい。
【００４７】
転写面に含まれる着色インクの全体又は一部は、ケラチン物質に転写することによって適用されてよい。
【００４８】
一実施例において、転写面上に最初に存在していた着色インクの少なくとも２５％、具体的には５０％、具体的には７５％、具体的には実質的に全てを、ケラチン物質に転写することによって、好ましくは中間流体化合物を添加せずに、適用する。
【００４９】
一実施例において、着色インクの適用は、転写面の圧力をケラチン物質上に印加することによって実施する。
【００５０】
着色インク及びコーティング組成物の、処置される領域上への同時転写は、摩擦せずに行ってよい。
【００５１】
有利には、着色インクを受けることが意図されるケラチン物質の領域は、着色インク及びコーティング組成物の同時転写の時点で前処置されていなかった。
【００５２】
別の態様によれば、本発明は、ヒトケラチン物質をメーキャップするための転写デバイスであって、
−  少なくとも１つの転写面を有する基材と、
−  転写面によって支持され、少なくとも１台のデジタルプリンターを用いて印刷することによって得られる、化粧用着色インク塗膜と、
−  転写面によって支持される、油を含む化粧用コーティングと
を含み、
化粧用コーティングが、インク塗膜の上又は下に置かれ、インク塗膜上に少なくとも部分的に重なり、
着色インク及び化粧用コーティングを、具体的にはケラチン物質と接触させて位置することによって、ケラチン物質に適用し、したがって転写によりケラチン物質上にメーキャップ効果を与えることを意図する、転写デバイスに関する。
【００５３】
基材及び転写面
一実施例において、本発明によるメーキャップデバイスの基材は、少なくとも１つの半透明又は透明の領域を含む。
【００５４】
半透明又は透明な領域は、使用者が基材を透かして見ることを可能にし、そのため着色インクを転写する前のメーキャップされる表面をより容易に視覚化する。したがって半透明又は透明な領域の存在は、有利には、ケラチン物質上に正確なメーキャップの効果を生む促進に向けて貢献する。
【００５５】
基材の半透明又は透明な領域は、着色インク塗膜の上に全体的に又は部分的に重なり得、具体的にはオーバーラップし得る。
【００５６】
着色インク塗膜は、その全体が、基材の半透明又は透明な領域の上に重なり得る。変形形態として、一部の着色インク塗膜のみが、基材の透明な領域の上に重なる。
【００５７】
基材は、透明又は半透明物質で作られていてよい。この場合、半透明又は透明な領域は、基材の全表面に広がる。
【００５８】
変形形態として、基材は、その表面全体又は一部にわたって不透明である。
【００５９】
基材は、軟質シート又は剛性板であってよい。これは、プラスチック（例えば、ポリエチレン又はポリスチレン）で作られていてよい。これは、織物でも不織物でもよい。これは、有機又は無機物質で作られていてよい。これは、アルミホイルでよい。
【００６０】
基材の転写面は、アプリケーターローラーの外面、アプリケーターパッドの表面、シート形態の要素、パッチ、多孔質発泡体の表面、とりわけスポンジ、ワイプ、荒目ブラシ、極細ブラシ又は植毛チップ（ｆｌｏｃｋｅｄ  ｔｉｐ）の表面の全体又は一部によって画定され得る。
【００６１】
転写面は、例えば、アプリケーターローラーの表面上に搭載された変形可能なシートの表面全体又は一部によって画定される。
【００６２】
転写面は、毛管作用によって着色インクを保持できる。
【００６３】
転写面は、平面状でも非平面状でもよい。
【００６４】
転写面は、弾性的に変形可能でよい。したがって、第１の構成において、転写面は平らでよく、第２の構成において、転写面は内側に湾曲していてよく、したがってケラチン物質の形状がメーキャップされ得る。
【００６５】
一実施例において、転写面は、基材の一部から着脱可能である。
【００６６】
以下に詳述するように、基材は、転写面が、印刷中に、例えば実質的に平らな第１の形態をとり、着色インクをケラチン物質に適用する間、第１の形態とは異なる第２の形態をとるように構成されてよい。
【００６７】
第２の形態は、有利には、着色インクでコーティングされることが意図されたケラチン物質の表面の形態、例えば面の一部の形態に対応する。
【００６８】
一実施例において、基材は、着色インクでメーキャップされることが意図されたケラチン物質の性質に関する表示を含む。この表示は、同じインクで印刷されてよく、又はそうでなければ転写されることが意図されてよい。
【００６９】
基材は、優先的には、非吸収性材料、例えばプラスチックフィルムをベースとする。基材は、有利には、少なくとも印刷物を受け取ることが意図される面上で無孔である。
【００７０】
一実施例において、着色インクが頬及び／又は爪に適用されることが意図される場合、基材は、１ｍｍ以上、具体的には３ｍｍ、例えば１〜５ｍｍの範囲の厚さを有してよい。
【００７１】
一実施例において、着色インクが眼及び／又は唇の周辺領域に適用されることが意図される場合、基材は、３ｍｍ以上、具体的には１ｃｍ、例えば３〜２０ｍｍの範囲の厚さを有してよい。
【００７２】
一実施例において、着色インクが鼻及び／又は耳の領域内に適用されることが意図される場合、基材は、１ｃｍ以上、具体的には３ｃｍ、例えば１〜４ｃｍの範囲の厚さを有してよい。
【００７３】
したがって、基材は、有利には、メーキャップされるケラチン物質の領域に適合した厚さを有する。
【００７４】
基材の厚さは、転写面に対して垂直に測定したその最大寸法に対応する。
【００７５】
基材は、再利用可能であってよい。例えば、転写にアクセス可能であるが、プリンターに留まる、基材上で印刷を実施する。したがって、使用後、プリンターは、基材を復元し、清浄し、新しい印刷に備えることができる。
【００７６】
着色インク
転写面によって支持されるインクは、好ましくは、染料を含む。
【００７７】
染料
染料は、下記の１種以上の染料を含んでよい。
【００７８】
染料は、インクの総質量に対して、０．０１％〜６０％の範囲、好ましくは０．１％〜４０％の範囲、又は０．１％〜３０％、優先的には０．５％〜２０％の範囲の質量含有量でインク中に存在してよい。
【００７９】
着色インクは、水溶性色素、脂溶性色素、粉状染料、例えば顔料、具体的には真珠光沢剤、及び光輝材、或いは着色ポリマーから選択される１種以上の染料を含んでよい。
【００８０】
用語「顔料」は、化粧用インクの着色を目的とする、化粧媒体中に不溶な任意の形態の、白色若しくは有色の、無機又は有機粒子を意味すると理解すべきである。
【００８１】
用語「真珠光沢剤」は、特にある種の軟体動物によりその殻で生成されるか、そうでなければ合成される、任意の形状の虹色の粒子を意味するとして理解されるべきである。
【００８２】
顔料は、白色、黒色又は有色でよく、無機及び／又は有機であることができる。挙げることができる無機顔料の中には、任意選択で表面処理された二酸化チタン、酸化ジルコニウム又は酸化セリウム、及び更に酸化亜鉛、酸化鉄（黒色、黄色若しくは赤色）又は酸化クロム、マンガンバイオレット、ウルトラマリンブルー、クロム水和物及びフェリックブルー、並びに金属粉末、例えばアルミニウム粉末及び銅粉末がある。
【００８３】
有機顔料のうち、カーボンブラック、Ｄ＆Ｃタイプの顔料、及びコチニールカルミン系のレーキ、又はバリウム、ストロンチウム、カルシウム若しくはアルミニウム系のレーキを挙げることができる。
【００８４】
真珠光沢顔料は、白色真珠光沢顔料（例えば、チタン又はオキシ塩化ビスマスで被覆されたマイカ）、有色真珠光沢顔料（例えば、酸化鉄で被覆されたチタンマイカ、特にフェリックブルー若しくは酸化クロムで被覆されたチタンマイカ、有機顔料で被覆されたチタンマイカ）、及び更にオキシ塩化ビスマスをベースとする真珠光沢顔料から選択できる。
【００８５】
水溶性色素のうち、ポンソーのジナトリウム塩、アリザリングリーンのジナトリウム塩、キノリンイエロー、アマランスのトリナトリウム塩、タートラジンのジナトリウム塩、ローダミンのモノナトリウム塩、フクシンのジナトリウム塩、キサントフィル及びメチレンブルーを挙げることができる。
【００８６】
脂溶性色素のうち、ズダンレッドＩＩＩ（ＣＴＦＡ：Ｄ＆Ｃ  Ｒｅｄ  １７）、ルテイン、キニザリングリーン（ＣＴＦＡ：Ｄ＆Ｃ  Ｇｒｅｅｎ  ６）、アリズロールパープルＳＳ（ＣＴＦＡ：Ｄ＆Ｃ  Ｖｉｏｌｅｔ  ２）、ズダンブラウン、Ｄ＆Ｃ  ｙｅｌｌｏｗ  １１、Ｄ＆Ｃ  Ｏｒａｎｇｅ  ５、キノリンイエロー、クルクミン、カロテノイド誘導体、例えばリコペン、β−カロテン、ビキシン又はカプサンシン、及びこれらの混合物を挙げることができる。染色ポリマーは、一般に、少なくとも片方が単量体有機色素である少なくとも２種の異なるモノマーをベースとするコポリマーである。このような高分子色素は、当業者に知られている。例えば、以下の文献を参考に挙げることができる：米国特許第５０３２６７０号明細書、米国特許第４９９９４１８号明細書、米国特許第５１０６９４２号明細書、米国特許第５０３０７０８号明細書、米国特許第５１０２９８０号明細書、米国特許第５０４３３７６号明細書、米国特許第５１０４９１３号明細書、米国特許第５２８１６５９号明細書、米国特許第５１９４４６３号明細書、米国特許第４８０４７１９号明細書、国際公開第９２／０７９１３号、欧州特許第１０４８２８２号明細書。
【００８７】
印刷には、いくつかの異なるインク、具体的には色が異なるインクを使用してよい。
【００８８】
印刷には、少なくとも３種、具体的には少なくとも４、５、６、７、８、９、１０、１１又は１２種の異なる色の化粧用インクを使用してよい。
【００８９】
転写面に含まれる着色インクによって形成されるパターンは、可視領域（４００ｎｍ〜８００ｎｍ）中の白色光の下で観察したときに、着色されていてよい。変形形態として、可視領域中の白色光の下でパターンは無色であるが、化学的及び／又はエネルギー刺激、例えばＵＶ（３６５ｎｍ〜４００ｎｍ）への曝露を受けたとき、例えば着色インクが、フォトクロミック染料若しくは蛍光染料及び／又はジヒドロキシアセトン（ＤＨＡ）を含有するとき、有色に見え得る。
【００９０】
印刷には、主要の色を作る着色インクのみ使用してよい。変形形態として、印刷には、主要の色を作る着色インク及び主要でない色を作る少なくとも１種のインクの両方を使用してよい。
【００９１】
一変形形態において、印刷は、黒色及び／又は白色を作る着色インクを使用してよい。
【００９２】
インクの印刷は、３色又は４色の印刷でよい。
【００９３】
印刷によって得られるパターンは、いくつかの異なる色の領域を含んでよい。変形形態として、印刷によって得られるパターンはフラットティントである。
【００９４】
転写面上に印刷された化粧用インクによって形成されるパターンは、任意の種類のものであってよい。
【００９５】
有利には、パターンは、皮膚の浮き彫り及び／又は色の不均一性の外観、例えばそばかす又はほくろを複製できる。
【００９６】
着色インク塗膜は、いくつかのインクを含んでよい。
【００９７】
印刷によって堆積された着色インクは、ドット及び／又はラスター線の形態で転写面上に堆積して、ハーフトーン画像、例えば単色又は多色画像を形成することができる。
【００９８】
着色インク塗膜は、それぞれドットで堆積され、色が異なる、いくつかの着色インクを含んでよい。
【００９９】
有利には、着色インクがケラチン物質に適用されたとき、着色インクは基材上で完全には乾燥していない。着色インクがケラチン物質に適用されたとき、着色インクは流体形態であってよい。
【０１００】
転写面に含まれる着色インクの全体又は一部は、ケラチン物質に転写することによって適用されてよい。
【０１０１】
一実施例において、転写面上に最初に存在していた着色インク塗膜の少なくとも２５質量％、具体的には５０質量％、具体的には７５質量％、具体的には実質的に全てを、ケラチン物質に転写することによって適用する。
【０１０２】
一実施例において、着色インクの適用は、転写面の圧力をケラチン物質上に印加することによって実施する。
【０１０３】
染料は、１種以上の色素、特に酸性色素及び／若しくは着色ポリマー、並びに／又は１種以上の顔料を含んでよく、該顔料は、場合により、色素で充満されている。
【０１０４】
一実施例において、染料は、エネルギー及び／又は化学的刺激、例えばフォトクロミック化合物及び／又はジヒドロキシアセトン（ＤＨＡ）の作用下に晒され得る１種以上の着色剤を含む。
【０１０５】
好ましくは、デバイス上に存在する着色インクは、完全には乾燥していない。
【０１０６】
ケラチン物質上で完全には乾燥していない着色インクの適用は、インクの転写を促す。
【０１０７】
着色インクが転写面に含まれるとき、且つケラチン物質に適用される前、着色インクは流体形態であってよい。
【０１０８】
有利には、流体着色インクは、２５℃で１〜３０ｍＰａ．ｓの範囲の粘度を有する。
【０１０９】
本発明の組成物のインクの粘度は、当業者に既知の任意の方法により、特に以下の慣用的方法に従って測定することができる。２５℃で、２００ｒｐｍで回転するスピンドルを備えたＲｈｅｏｍａｔ  １８０粘度計を使用して、当業者は、測定を行うことができるように、一般知識に基づいてスピンドルＭ１、Ｍ２、Ｍ３及びＭ４から粘度を測定するためのスピンドルを選択することができる。
【０１１０】
インクが、化粧用トナーの形態である場合、このトナーは、着色剤以外にも、電荷を制御する化合物、特定の追加の充填剤、潤滑剤、ワックス及び／又は結合剤を含んでよい。
【０１１１】
好ましくは、トナーの粒子は、平均サイズが１から１６μｍの間である。トナーは、例えば、粒径が１から１０μｍの間の顔料を含む。
【０１１２】
中間流体化合物を添加する必要なく転写する着色インクの能力の測定
上記の通り、着色インクは、特に好ましくは、中間流体化合物を添加せずにケラチン物質上に転写できる。
【０１１３】
所与の着色インクが、この特性を有するかを確認するために、表面に含まれる、検討中の着色インク塗膜を、Ｂｅａｕｌａｘ社により商標名Ｂｉｏｓｋｉｎ  参照番号：白色０６１０３１−２で販売されている人工皮膚サンプルと接触させて配置する。
【０１１４】
接触は、大気温度及び圧力条件（２０℃及び１バール）下で５０００パスカル（すなわち５０ｇ／ｃｍ２）の圧力を印加して、１ｓの時間かけて実施する。接触前又は接触中に、着色インクにもサンプルにも中間流体化合物は添加しない。
【０１１５】
視覚的評価を実施する。
【０１１６】
着色インクがケラチン物質上に転写する場合、着色インクは、中間流体化合物を添加せずにケラチン物質上に転写できるものと見なされる。
【０１１７】
コーティング
コーティングは、好ましくは、油を含む。
【０１１８】
コーティングは、それぞれ同じ又は異なる組成物の１つ以上の塗膜を適用することによって調製できる。
【０１１９】
コーティングは、無色でも有色でもよい。
【０１２０】
組成物は、液体形態でよい。
【０１２１】
組成物は、油性ゲル又はエマルションの形態であってよい。
【０１２２】
組成物は、固体形態でよい。
【０１２３】
本発明によれば、用語「固体形態の組成物」は、「流動」組成物とは反対に、それ自体の質量下で流動しないような硬さを有する組成物を意味する。このような組成物は、具体的には、コンパクトパウダーの形態又はキャスト製品の形態であり得る。
【０１２４】
組成物は、エマルション形態、特に水中油型又は油中水型エマルションの形態でよい。組成物は無水であってよい。用語「無水組成物」は、２質量％未満の水、又は更には０．５質量％未満の水を含有する組成物であり、特に水を含まない。適切な場合、かかる少量の水は、特に組成物の残りの量を含有し得る組成物の成分によって導入されてもよい。
【０１２５】
組成物は、メーキャップ及び／又はケア用組成物でよい。
【０１２６】
組成物は、ファンデーション、アイシャドウ、フェイスパウダー、リップグロス又はリップスティック等の特定のメーキャップ組成物から選択することができる。
【０１２７】
組成物は、スキンケア及びリップケア用組成物から選択することができる。
【０１２８】
組成物中に存在する油は、炭化水素系、シリコーン又はフッ化型の揮発性及び不揮発性油から選択することができる。好ましくは、油は不揮発性油である。
【０１２９】
用語「不揮発性油」は、室温及び大気圧で少なくとも数時間、皮膚上に残存し、特に蒸気圧が１．３３Ｐａ（０．０１ｍｍＨｇ）未満である油を意味する。
【０１３０】
用語「炭化水素系油」は、水素原子及び炭素原子を主に含有し、任意選択で、酸素原子又は窒素原子を含有する油を意味する。
【０１３１】
とりわけ挙げることができる不揮発性炭化水素系油には、
−  動物起源の炭素水素系油、
−  植物起源の炭化水素系油、例えばグリセロールの脂肪酸エステルからなるトリグリセリド（これらの脂肪酸はＣ４からＣ２４の様々な鎖長を有することができ、これらの鎖は、場合により、直鎖状若しくは分枝状、飽和若しくは不飽和であり、これらの油は、とりわけ、ヘプタン酸若しくはオクタン酸トリグリセリド、或いはコムギ胚芽油、ヒマワリ油、ブドウ種子油、ゴマ種子油、トウモロコシ油、アプリコット油、ヒマシ油、シア油、アボカド油、オリーブ油、大豆油、スイートアーモンド油、パーム油、ナタネ油、綿実油、ヘーゼルナッツ油、マカダミア油、ホホバ油、アルファルファ油、ケシの実油、カボチャ油、マロー油、ブラックカラント油、イブニングプリムローズ油、キビ油、オオムギ油、キノア油、ライムギ油、ベニバナ油、ククイ油、パッションフラワー油及びジャコウバラ油、シアバター、又はカプリル／カプリン酸トリグリセリド、例えば、Ｓｔｅａｒｉｎｅｒｉｅｓ  Ｄｕｂｏｉｓ社から販売されているもの、若しくはＤｙｎａｍｉｔ  Ｎｏｂｅｌ社からＭｉｇｌｙｏｌ  ８１０（登録商標）、８１２（登録商標）及び８１８（登録商標）の名称で販売されているものである）、
−  １０〜４０個の炭素原子を含有する合成エーテル、
−  鉱物又は合成起源の直鎖状又は分岐状炭化水素、例えば、ワセリン、ポリデセン、水添ポリイソブテン、例えばＰａｒｌｅａｍ（登録商標）、スクワラン及び流動パラフィン、並びにこれらの混合物、
−  合成エステル、例えば、式Ｒ１ＣＯＯＲ２の油（式中、Ｒ１は、１〜４０個の炭素原子を含有する直鎖状若しくは分枝状の脂肪酸残基を表し、Ｒ２は、特に、１〜４０個の炭素原子を含む分枝状の炭化水素系の鎖を表すが、条件としてＲ１＋Ｒ２≧１０である）、例えば、Ｐｕｒｃｅｌｌｉｎ  ｏｉｌ（オクタン酸セトステアリル）、ミリスチン酸イソプロピル、パルミチン酸イソプロピル、Ｃ１２〜Ｃ１５安息香酸アルキル、ラウリン酸ヘキシル、アジピン酸ジイソプロピル、イソノナン酸イソノニル、パルミチン酸２−エチルヘキシル、イソステアリン酸イソステアリル、ラウリン酸２−ヘキシルデシル、パルミチン酸２−オクチルデシル、ミリスチン酸２−オクチルドデシル、ヘプタン酸アルキル若しくはポリアルキル、オクタン酸エステル、デカン酸エステル若しくはリシノール酸エステル、例えば、ジオクタン酸プロピレングリコール；ヒドロキシル化エステル、例えば、乳酸イソステアリル、リンゴ酸ジイソステアリル及び乳酸２−オクチルドデシル；ポリオールエステル並びにペンタエリトリトールエステル、
−  １２〜２６個の炭素原子を含有する分枝状及び／又は不飽和の炭素系鎖を有する、室温で液体である脂肪アルコール、例えば、オクチルドデカノール、イソステアリルアルコール、オレイルアルコール、２−ヘキシルデカノール、２−ブチルオクタノール及び２−ウンデシルペンタデカノール、
−  高級脂肪酸、例えばオレイン酸、リノール酸又はリノレン酸、及びこれらの混合物
が含まれる。
【０１３２】
本発明による組成物に使用することができる不揮発性シリコーン油は、不揮発性ポリジメチルシロキサン（ＰＤＭＳ）であって、アルキル基又はアルコキシ基を含み、これらの基がペンダント状である、且つ／又はシリコーン鎖の末端にあり、これらの基それぞれが２〜２４個の炭素原子を含有するポリジメチルシロキサン、フェニルシリコーン、例えば、フェニルトリメチコン、フェニルジメチコン、フェニルトリメチルシロキシジフェニルシロキサン、ジフェニルジメチコン、ジフェニルメチルジフェニルトリシロキサン、及びこれらの混合物であってもよい。
【０１３３】
本発明の目的では、用語「揮発性油」は、室温及び大気圧において、皮膚との接触時に蒸発することが可能である任意の油を意味する。本発明の揮発性油は、室温で液体であり、室温及び大気圧で０ではない蒸気圧を有し、詳細には０．１３〜４００００Ｐａ（０．００１〜３００ｍｍＨｇ）を範囲とし、好ましくは１．３〜１３００Ｐａ（０．０１〜１０ｍｍＨｇ）を範囲とする蒸気圧を有する揮発性の化粧用油である。
【０１３４】
揮発性炭化水素系油は、８〜１６個の炭素原子を含有する炭化水素系油、特に石油起源のＣ８〜Ｃ１６イソアルカン等の分枝状のＣ８〜Ｃ１６アルカン（イソパラフィンとしても知られる）、例えばイソドデカン（２，２，４，４，６−ペンタメチルヘプタンとしても知られる）、イソデカン、イソヘキサデカン、及び例えば商標名Ｉｓｏｐａｒ（登録商標）又はＰｅｒｍｅｔｈｙｌ（登録商標）で販売されている油から選択されてもよい。
【０１３５】
更に使用できる揮発性油には、揮発性シリコーン、例えば揮発性の直鎖状又は環状シリコーン油、詳細には粘度≦５センチストーク（５×１０−６ｍ２／ｓ）であり、具体的には２〜１０個のケイ素原子、好ましくは２〜７個のケイ素原子を含有するものが挙げられ、これらのシリコーンは、１〜１０個の炭素原子を含有するアルキル基又はアルコキシ基を任意選択で含む。本発明において使用することができる揮発性シリコーン油として、特に、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン及びドデカメチルペンタシロキサン、並びにこれらの混合物を挙げることができる。
【０１３６】
油は、組成物中に、組成物の総質量に対して５質量％から９５質量％の範囲、好ましくは１０質量％から８０質量％の範囲の含有量で存在してよい。
【０１３７】
組成物は、特に、組成物の総質量に対して５質量％から９０質量％の範囲、好ましくは２０質量％から８０質量％の範囲の質量含有量で水を含むことができる。
【０１３８】
組成物は、膜形成ポリマー、ワックス、ペースト状化合物、増粘剤、界面活性剤、香料、保存料、日焼け止め剤、充填剤、染料、タンパク質、ビタミン、プロビタミン、保湿剤、セラミド、ｐＨ調整剤、及びケラチン物質に適用することが意図される化粧用組成物中に従来から使用されるその他の任意の添加剤から選択される従来型化粧用添加剤も含んでよい。
【０１３９】
コーティングは、それ自体が、ヒトケラチン物質上に転写が可能であってよい。
【０１４０】
コーティングは、着色インク塗膜を印刷する前及び／又は後に、転写面上に堆積され得る。一変形形態において、デバイスは、転写面に含まれ、化粧用インク塗膜のどちらか一方の面上に位置する、第１及び第２の化粧用コーティングを含む。第１及び第２の化粧用コーティングは、特に、異なる組成物を含む。
【０１４１】
第１及び／又は第２の化粧用コーティングは、着色されていてよい。コーティングは、例えば、印刷が難しい色、例えば白色若しくは黒色、又はメーキャップされる皮膚の肌のトーンに近い色、例えば肌色に着色される。
【０１４２】
変形形態として、コーティングは、それ自体は着色されていない。
【０１４３】
第１及び第２の化粧用コーティングのうちの少なくとも１つは、無色であってよい。
【０１４４】
第１及び／又は第２の化粧用コーティングは、例えば、ファンデーション、リップグロス、リップクリーム、リップスティック及びアイシャドウから選択される組成物から得られる。
【０１４５】
コーティングは、スキンケア製品であってもよい。
【０１４６】
一実施例において、コーティングに組み込まれた着色インクは、中間流体化合物、とりわけ液体を添加せずに、ケラチン物質上に転写が可能である。言い換えれば、着色インクは、デカール転写等の場合、インクの転写を改善することが意図された中間液体を適用する必要なく、メーキャップされることが意図された領域を、単に前記着色インクと接触させることによって、ケラチン物質上に転写できる。
【０１４７】
アセンブリ
別の態様によれば、本発明は、同じケースに本発明による複数のデバイスを含む化粧アセンブリであって、デバイスが、含まれる着色インクの化学的性質及び／又はそれによって形成されるパターン及び／又は転写面上に堆積されるコーティング及び／又はケラチン物質と噛み合うことが意図される転写面の形態で異なっている、化粧アセンブリに関する。
【０１４８】
デバイスは、基材、特にケラチン物質と噛み合うことが意図される転写面の形態及び／又は組成によって異なり得る。
【０１４９】
デバイスは、保有する着色インクの化学的性質及び／又はそれによって形成されるパターンによって異なり得る。
【０１５０】
アセンブリは、１つ以上のインクカートリッジ及び基材変形手段を含んでよい。
【０１５１】
アセンブリは、好適なプリンターも含んでよい。
【０１５２】
転写化合物を流動化する上で有用な中間化合物を使用する場合、中間化合物は、印刷後に、着色インク中で転写化合物に添加してよい。
【０１５３】
中間化合物は、任意の既知の手段によって、具体的にはスプレーによって、着色インク中で転写化合物に添加してよい。
【０１５４】
中間化合物は、好ましくは、着色インクをケラチン物質に適用する前、着色インクがまだ転写面に含まれている間、転写化合物に添加する。
【０１５５】
一実施例において、着色インクは、ケラチン物質に適用される前に、３０℃から６０℃の間の温度にする。変形形態として、着色インクは、着色インクでコーティングされることが意図されるケラチン物質の領域と接触させる間、３０℃から６０℃の間の温度にする。
【０１５６】
着色インクを、適用前に、３０℃から６０℃の間の温度にすることが意図される場合、この温度にした着色インクを爪に適用して、転写によってその上にメーキャップ効果を与えることができる。
【０１５７】
転写面が基材の一部から着脱可能な場合、使用者は、先ず転写面を基材の残りの部分から外し、次いでこうして外した転写面上に存在する着色インクを、転写によってケラチン物質上に適用することができる。
【０１５８】
着色インクを、加熱部材の近くに置くことによって、３０℃から６０℃の間の温度にしてもよい。変形形態として、印刷直後に得られた着色インクは、既にこの温度であり得、使用者は、この温度の着色インクを、これが冷却する前に、ケラチン物質に適用することができる。
【０１５９】
更に別の態様によれば、本発明は、前述の、本発明によるデバイスを製造するためのキットに関する。
【０１６０】
キットは、同じパッケージング中に、
ａ）  少なくとも１つの化粧用着色インクを含有するプリンター用カートリッジと、
−  ケラチン物質上に転写できる油を含み、パッケージングアセンブリ中に含有される、化粧用組成物と、
ｂ）  デジタルプリンターを使用して印刷された組成物のコーティング及び着色インク塗膜を受け取ることが意図される、少なくとも１つの転写面を有する基材と
を含んでよい。
【０１６１】
組成物パッケージングアセンブリは、既知のやり方で、化粧用組成物を保管するのに適した任意のパッケージング（具体的には瓶、管、スプレーボトル、又はエアロゾルボトル）である。
【図面の簡単な説明】
【０１６２】
【図１】本発明の第１の様式によるメーキャップ方法の異なる工程を表す。
【図２】本発明の第１の様式によるメーキャップ方法の異なる工程を表す。
【図３】本発明の第１の様式によるメーキャップ方法の異なる工程を表す。
【図４】本発明の第２の様式によるメーキャップ方法の異なる工程を表す。
【図５】本発明の第２の様式によるメーキャップ方法の異なる工程を表す。
【図６】本発明によるメーキャップ方法の変形形態を例示する。
【図７】本発明によるメーキャップ方法の変形形態を例示する。
【発明を実施するための形態】
【０１６３】
以下の記述を読み、添付の図面を確認することで、本発明をより明確に理解することができる：
−  図１〜図３は、本発明の第１の様式によるメーキャップ方法の異なる工程を表し、
−  図４及び図５は、本発明の第２の様式によるメーキャップ方法の異なる工程を表し、
−  図６及び図７は、本発明によるメーキャップ方法の変形形態を例示する。
【０１６４】
図１〜図３は、可撓性且つ変形可能な材料で作られており、その前面が、化粧用着色インク塗料４を受け取り、転写によってメーキャップ効果をもたらすことが意図される転写面３を構成する基材２を含む、本発明によるメーキャップデバイス１を示す。
【０１６５】
着色インク塗膜４を転写面３上に堆積させるために、複製しようとする画像の画素に対応するインクドットを付着させるデジタルプリンターを使用する。
【０１６６】
複製しようとする画像をネガで表すパターン４０を直接、転写面３上に印刷する。図１は、転写面３が化粧用インク塗膜４を含む、印刷後にいったんプリンターから外されたデバイス１を示す。
【０１６７】
塗膜４上に重なる転写面３の全体又は一部の領域は、好ましくは滑らかであり、１ｍｍ以下、具体的には１から１００μｍの間、好ましくは５０μｍ以下の粗さを有する。粗さは、粗さ計を使用して測定され、その先端は、曲率半径が１０ｍｍであり、物質に適用されるその力は６ｍＮであることを特徴とする。
【０１６８】
着色インク塗膜４は、任意のタイプのパターン形態、例えば例示しているようなハート及び文字の形態であってよい。パターンは、いくつかのインクからなっていてよい。
【０１６９】
基材２は、メーキャップに推奨される位置決めに関する情報を提供するための、又はインク４等でメーキャップされることが意図されたケラチン物質の性質に関する情報を提供するための、例えば印刷によって形成される表示７を有し得る。
【０１７０】
次いで、図２及び図３に例示しているように、コーティング６を適用する。例えば、コーティングは着色され、ファンデーションの適用に対応する。
【０１７１】
本発明は、コーティングのタイプに限定されない。コーティングは、特にメーキャップするための、身体又は唇の美容処置で知られている任意のタイプでよい。
【０１７２】
この実施例において、化粧用コーティング６はインク塗膜４を被覆し、インク塗膜４のパターン上に全体的に重なる。図３の項ＩＩＩ−ＩＩＩによって示すように、コーティング６は、インク塗膜４を統合すると同時にパターン４０を保存する。このインク塗膜４のコーティング６への組み込みを助けるために、使用者は、任意選択により、例えば、端部を減衰するために、調整を行うことができる。
【０１７３】
好ましくは、基材２は、好ましくは透明又は半透明であり、着色インク塗膜４及びコーティング６と完全に又は部分的に重なっていてよい、少なくとも１つの透過性領域５を有する。透明領域５は、使用者が、基材２を透かして見ることを可能にし、したがってデバイス１が表面上に重なるとき、デバイス１によってメーキャップされる前記表面を視覚化させる。
【０１７４】
４及びコーティング６の全ては、例示の通り、透明領域５上に重なり得る。一変形形態において、一部のコーティング及び／又は着色インク塗膜のみが、透明領域５の上に重なる。
【０１７５】
基材２は、透明物質で作られていてよい。そして、透明領域５は、基材２の全表面に及ぶ。
【０１７６】
基材２は、メーキャップに推奨される位置決め、例えば例示されているように、正しいやり方で周囲に縮小して、転写されるパターンを複製したもの、又は着色インク４等でメーキャップされることが意図されるケラチン物質の性質に関する情報を提供するための表示７、例えば印刷物を有し得、色及び／又はパターン参照に関する情報も提供できる。
【０１７７】
基材２は、好ましくは、可撓性材料で作られている。変形形態として、基材２は、剛性又は半剛性材料で作られている。
【０１７８】
次いで、デバイス１を、メーキャップされる、好ましくは乾燥している皮膚の領域Ｐに近づけ、したがって着色インク塗料４及びコーティング６を同時に、メーキャップされる皮膚の領域Ｐと接触させて配置し、次いで使用者が圧力を印加して、着色インク４及びコーティング６を、メーキャップされる領域Ｐの上に転写させる。ケラチン物質と接触している間、基材２は、好ましくは、横に動かず、したがって転写パターンの外観に影響を与えない。
【０１７９】
転写面３を有する基材２は外される。得られたメーキャップ効果は、インクに対応するパターンとコーティングとを組み合わせる。印刷の手段によって高精度のパターンが維持され、コーティングによって損なわれることはない。
【０１８０】
図示しない一変形形態において、着色パターンを形成するインク塗膜が、転写面上に印刷され、リップグロス、リップクリーム又はリップスティックを使用してコーティングが転写面に適用される。次いで、転写面を、唇の領域上に配置する。パターンと組み合わせたコーティング組成物を用いて、単純なジェスチャーで標準的なメーキャップ効果が得られる。
【０１８１】
図４及び図５は、本発明によるメーキャップ方法の別の実施形態の様々な工程を概略的に示す。
【０１８２】
図４は、コーティング６、例えば任意選択により追加の着色塗膜が加えられるファンデーション塗膜が適用された基材２の転写面３を示す。片方を実施し、次いで他方を実施する、又はその逆が可能である。
【０１８３】
着色インク塗膜４を、コーティング６で被覆された転写面３上に堆積させるために、複製しようとする画像の画素に対応するインクドットを付着させるデジタルプリンターを使用する。パターンのライブラリを参照して、又は更には独自のパターン（色、形状、分布）を構築して、自由にあるパターンを修正することが可能である。
【０１８４】
次いで、デバイス１を、メーキャップされる、例えば乾燥している皮膚の領域Ｐに近づけ、したがって着色インク塗料４及びコーティング６を同時に、メーキャップされる皮膚の領域Ｐと接触させて配置し、次いで使用者が圧力を印加して、着色インク４及びコーティング６を、メーキャップされる領域Ｐの上に転写させる。ケラチン物質と接触している間、基材２は、好ましくは、横に動かず、したがって転写パターンの外観に影響を与えない。
【０１８５】
転写面３を有する基材２は外される。皮膚の不具合は、ファンデーションの手段によってマスキングされる。転写したインク塗膜によって生成されるパターンも検出される。皮膚の領域Ｐとファンデーションのコーティング６との間に配置されるが、パターンは目で見える。したがって、均一過ぎないために快適な視覚的効果が得られる。
【０１８６】
メーキャップ方法は、実行するのに非常に現実的であり、コーティング及びインク塗膜の相対位置決めが、単純なジェスチャーで実施されるため、成功裏で行われる。
【実施例】
【０１８７】
（実施例１）（この実施例は、図６及び図７に対応する）
下記の組成物を有するファンデーションのコーティング６を、プリンター用の透明型プラスチックシートからなる基材２上に堆積させる。コーティングを放置して乾燥させる。
【０１８８】
【表１】
2020203101.tif 000003
【０１８９】
翌日、一連の小粒子を表すインク塗膜４が、図６に例示されるように印刷される。以下の表に列挙した配合物に対応する４つのインクを含有するＣａｎｏｎプリンターカートリッジを備えた、Ｃａｎｏｎ  Ｐｉｘｍａ  ＩＰ１００インクジェットプリンターを使用する。
【０１９０】
【表２】
2020203101.tif 000004
【０１９１】
次いで、基材２を腕の上に置いて、コーティング６、インク塗膜４、及びメーキャップされる皮膚の領域Ｐの間に接触を持たせる。
【０１９２】
シートを外すと、ファンデーションが小粒子と一緒に転写され、図７に示すように、ファンデーションの被覆力にかかわらず、小粒子は完全に目に見える。
【０１９３】
（実施例２）
この実施例は、図１〜図３に対応する。
【０１９４】
インク塗膜４は、実施例１のプラスチックシートと同様の基材２の転写面３上に印刷される。
【０１９５】
次いで、転写面２を、実施例１のファンデーションのコーティング６で被覆する。
【０１９６】
次いで、全体を皮膚に適用し、コーティング６及びインク塗膜４は、処置する領域Ｐと接触する。
【０１９７】
基材を外す。得られたメーキャップ効果は、パターンとファンデーションとを組み合わせる。パターンは、ファンデーションにまとめられ、ある程度の自由裁量が与えられる。印刷の手段によって高精度のパターンが維持され、ファンデーションによって損なわれることはない。
【符号の説明】
【０１９８】
１  メーキャップデバイス
２  基材
３  転写面
４  化粧用着色インク塗料
５  透明領域
６  化粧用コーティング
７  表示
４０  パターン
Ｐ  領域
【図１】
2020203101.tif 000005
【図２】
2020203101.tif 000006
【図３】
2020203101.tif 000007
【図４】
2020203101.tif 000008
【図５】
2020203101.tif 000009
【図６】
2020203101.tif 000010
【図７】
2020203101.tif 000011
【外国語明細書】
2020203101000001.pdf